【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
画像データまたは音声データに、それぞれのファイル形式を保持したまま、少なくとも１つの実行可能なプログラムを付加してファイルを作成するファイル作成手段と、
前記ファイル作成手段で作成された画像ファイルまたは音声ファイルの読み込みを監視して、前記ファイル作成手段で作成された前記画像ファイルまたは前記音声ファイルが読み込まれたと判断した場合に、前記画像ファイルまたは前記音声ファイルに含まれる前記プログラムを自動実行する監視手段とを備えることを特徴とするデータ処理装置。
【請求項２】
請求項１に記載のデータ処理装置において、
前記画像データまたは前記音声データに前記プログラムを付加するか否かを判断する判断手段をさらに備え、
前記ファイル作成手段は、前記判断手段が前記プログラムを付加すると判断した場合に、前記画像データまたは前記音声データに前記プログラムを付加することを特徴とするデータ処理装置。
【請求項３】
請求項１または２に記載のデータ処理装置において、
前記ファイル作成手段は、異なる複数のプラットフォームのそれぞれに対応した複数のプログラムを前記画像データまたは前記音声データに付加することを特徴とするデータ処理装置。
【請求項４】
請求項１〜３のいずれか一項に記載のデータ処理装置において、
前記監視手段は、前記画像ファイルまたは前記音声ファイルに含まれる前記プログラムが実行済みのファイルを抽出して、これらのファイルに含まれる前記プログラムを削除するプログラム削除手段をさらに備えることを特徴とするデータ処理装置。
【請求項５】
コンピュータで実行するためのファイル作成プログラムであって、
画像データまたは音声データに、それぞれのファイル形式を保持したまま、少なくとも１つの実行可能なプログラムを付加して画像ファイルまたは音声ファイルを作成することを特徴とするファイル作成プログラム。
【請求項６】
請求項５のファイル作成プログラムにおいて、
異なる複数のプラットフォームのそれぞれに対応した複数のプログラムを前記画像データまたは前記音声データに付加することを特徴とするファイル作成プログラム。
【請求項７】
コンピュータで実行するための監視プログラムであって、
請求項５または６に記載のファイル作成プログラムで作成された画像ファイルまたは音声ファイルの読み込みを監視して、前記画像ファイルまたは前記音声ファイルが読み込まれたと判断した場合に、前記画像ファイルまたは前記音声ファイルに含まれるプログラムを自動実行することを特徴とする監視プログラム。
【請求項８】
請求項７に記載の監視プログラムにおいて、
前記画像ファイルまたは前記音声ファイルに含まれる前記プログラムが実行済みのファイルを抽出して、これらのファイルに含まれる前記プログラムを削除することを特徴とする監視プログラム。
【請求項９】
コンピュータで読み取り可能な画像データまたは音声データをファイルシステム上に保存するためのファイル形式を表すためのデータ構造であって、
各ファイル形式が備えているデータ構造上の自由に記述可能な自由記述部に、コンピュータで実行される少なくとも１つのプログラムを含むことを特徴とするデータ構造。
【請求項１０】
請求項９に記載のデータ構造において、
前記自由記述部に、異なる複数のプラットフォームのそれぞれに対応した複数の実行可能なプログラムを含むことを特徴とするデータ構造。
【請求項１１】
被写体像を撮像して画像データを取得する撮像手段と、
前記撮像手段で取得した前記画像データに、そのファイル形式を保持したまま、少なくとも１つの実行可能なプログラムを付加して画像ファイルを作成するファイル作成手段を備えることを特徴とするカメラ。
【請求項１２】
請求項１１に記載のカメラにおいて、
前記ファイル作成手段は、異なる複数のプラットフォームのそれぞれに対応した複数のプログラムを前記画像データに付加することを特徴とするカメラ。
【手続補正２】
【補正対象書類名】明細書
【補正対象項目名】発明の名称
【補正方法】変更
【補正の内容】
【発明の名称】データ処理装置、ファイル作成プログラム、監視プログラム、データ構造、およびカメラ
【手続補正３】
【補正対象書類名】明細書
【補正対象項目名】０００１
【補正方法】変更
【補正の内容】
【０００１】
本発明は、実行可能なプログラムを付加したファイルのデータ構造、当該データ構造を有するファイルを作成するファイル作成プログラム、作成されたファイルの読み込みを監視して実行する監視プログラム、ファイル作成プログラムと監視プログラムとを備えるデータ処理装置、および画像データを取得して画像ファイルを生成するカメラに関する。
【手続補正４】
【補正対象書類名】明細書
【補正対象項目名】０００５
【補正方法】変更
【補正の内容】
【０００５】
請求項１に記載のデータ処理装置は、画像データまたは音声データに、それぞれのファイル形式を保持したまま、少なくとも１つの実行可能なプログラムを付加してファイルを作成するファイル作成手段と、ファイル作成手段で作成された画像ファイルまたは音声ファイルの読み込みを監視して、ファイル作成手段で作成された画像ファイルまたは音声ファイルが読み込まれたと判断した場合に、画像ファイルまたは音声ファイルに含まれるプログラムを自動実行する監視手段とを備えることを特徴とする。
請求項２に記載のデータ処理装置は、請求項１に記載のデータ処理装置において、画像データまたは音声データにプログラムを付加するか否かを判断する判断手段をさらに備え、ファイル作成手段は、判断手段がプログラムを付加すると判断した場合に、画像データまたは音声データにプログラムを付加することを特徴とする。
請求項３に記載のデータ処理装置は、請求項１または２に記載のデータ処理装置において、ファイル作成手段は、異なる複数のプラットフォームのそれぞれに対応した複数のプログラムを画像データまたは音声データに付加することを特徴とする。
請求項４に記載のデータ処理装置は、請求項１〜３のいずれか一項に記載のデータ処理装置において、監視手段は、画像ファイルまたは音声ファイルに含まれるプログラムが実行済みのファイルを抽出して、これらのファイルに含まれるプログラムを削除するプログラム削除手段をさらに備えることを特徴とする。
請求項５に記載のファイル作成プログラムは、コンピュータで実行するためのファイル作成プログラムであって、画像データまたは音声データに、それぞれのファイル形式を保持したまま、少なくとも１つの実行可能なプログラムを付加して画像ファイルまたは音声ファイルを作成することを特徴とする。
請求項６に記載のファイル作成プログラムは、請求項５のファイル作成プログラムにおいて、異なる複数のプラットフォームのそれぞれに対応した複数のプログラムを画像データまたは音声データに付加することを特徴とする。
請求項７に記載の監視プログラムは、コンピュータで実行するための監視プログラムであって、請求項５または６に記載のファイル作成プログラムで作成された画像ファイルまたは音声ファイルの読み込みを監視して、画像ファイルまたは音声ファイルが読み込まれたと判断した場合に、画像ファイルまたは音声ファイルに含まれるプログラムを自動実行することを特徴とする。
請求項８に記載の監視プログラムは、請求項７に記載の監視プログラムにおいて、画像ファイルまたは音声ファイルに含まれるプログラムが実行済みのファイルを抽出して、これらのファイルに含まれるプログラムを削除することを特徴とする。
請求項９に記載のデータ構造は、コンピュータで読み取り可能な画像データまたは音声データをファイルシステム上に保存するためのファイル形式を表すためのデータ構造であって、各ファイル形式が備えているデータ構造上の自由に記述可能な自由記述部に、コンピュータで実行される少なくとも１つのプログラムを含むことを特徴とする。
請求項１０に記載のデータ構造は、請求項９に記載のデータ構造において、自由記述部に、異なる複数のプラットフォームのそれぞれに対応した複数の実行可能なプログラムを含むことを特徴とする。
請求項１１に記載のカメラは、被写体像を撮像して画像データを取得する撮像手段と、撮像手段で取得した画像データに、そのファイル形式を保持したまま、少なくとも１つの実行可能なプログラムを付加して画像ファイルを作成するファイル作成手段を備えることを特徴とする。
請求項１２に記載のカメラは、請求項１１に記載のカメラにおいて、ファイル作成手段は、異なる複数のプラットフォームのそれぞれに対応した複数のプログラムを画像データに付加することを特徴とする。